(57)【要約】      （修正有）【課題】計時器用ムーブメントのためのバランスにおいて、欠陥のリスクを最小にすることができる弾性アームを備える慣性ブロックを良好に保持する。【解決手段】バランス１は、回転軸Ｄを形成するハブ２と、少なくとも１つの輪縁３の区画と、及び少なくとも１つの輪縁の区画をハブに接続する少なくとも１つのアーム４とによって構成している剛体部分を備え、慣性ブロックを受け適切な位置にて把持する収容スロット７があり、収容スロットは、ハウジング１０内へと通じており、ハウジング境界は、一方ではバランスの剛体部分８によって、他方では弾性アーム５によって定められており、弾性アームには、バランスの剛体部分と一体化された第１の端部と、第２の遠位端５Ａがある。弾性アームには、断面が一定ではない本体５Ｃがあり、本体の一部は、応力を受ける材料の体積が大きく最大の弾性エネルギーを蓄積するように弾性アームの残りの部分よりも幅が大きい。【選択図】図１
2020183937.tif 000002
【特許請求の範囲】
【請求項１】
計時器用ムーブメントのためのバランス（１）であって、
当該バランス（１）の回転軸（Ｄ）を形成するハブ（２）と、
少なくとも１つの輪縁（３）の区画と、及び
前記少なくとも１つの輪縁（３）の区画を前記ハブ（２）に接続する少なくとも１つのアーム（４）とによって構成している剛体部分を備え、
当該バランス（１）には、慣性ブロック（６）を受け適切な位置にて把持する少なくとも１つの収容スロット（７）があり、
前記少なくとも１つの収容スロット（７）は、ハウジング（１０）内へと通じており、
前記ハウジング（１０）の境界は、一方では当該バランス（１）の剛体部分（８）によって、他方では弾性アーム（５）によって定められており、
前記弾性アーム（５）には、当該バランス（１）の剛体部分と一体化された第１の端部（５Ｂ）と、前記ハブ（２）、前記アーム（４）及び前記輪縁（３）の区画と比べて自由である第２の遠位端（５Ａ）があり、
前記弾性アーム（５）には、断面が一定ではない本体（５Ｃ）があり、前記本体の一部は、応力を受ける材料の体積が大きく最大の弾性エネルギーを蓄積するように前記弾性アーム（５）の残りの部分よりも幅が大きい
ことを特徴とするバランス（１）。
【請求項２】
前記弾性アーム（５）は、前記慣性ブロックのロッドを配置するために当該バランスの前記剛体部分（８）に対して前記弾性アーム（５）が実質的に垂直方向に上昇しているときに、前記ハウジングの奥部において０．３％の塑性変形しきい値よりも下を維持するような形を有する
ことを特徴とする請求項１に記載のバランス（１）。
【請求項３】
前記ハウジング（１０）は、前記収容スロット（７）によって定められる入口と、及び奥部とがある実質的に卵形の形状であり、
前記ハウジングの前記奥部は、前記ハウジング（１０）の前記入口よりも大きい寸法構成を有する
ことを特徴とする請求項１又は２に記載のバランス（１）。
【請求項４】
前記弾性アームは、前記慣性ブロックが取り付けられているときに少なくとも０．７Ｎの保持力を与える
ことを特徴とする請求項１〜３のいずれか一項に記載のバランス（１）。
【請求項５】
前記剛体部分（８）には、前記慣性ブロックをポジショニングするためのノッチ（１１）があり、
前記開口の幅は、前記慣性ブロックの前記ロッドの直径よりも小さい
ことを特徴とする請求項１〜４のいずれか一項に記載のバランス（１）。
【請求項６】
前記弾性アーム（５）は、前記ハブ（２）と一体化されている
ことを特徴とする請求項１〜５のいずれか一項に記載のバランス（１）。
【請求項７】
前記弾性アーム（５）の少なくとも１つは、当該バランス（１）と一体化されるように形成される
ことを特徴とする請求項１〜６のいずれか一項に記載のバランス（１）。 
【請求項８】
複数の弾性アーム（５）を備え、
前記弾性アームは、当該バランスの中心を中心として点対称に配置される
ことを特徴とする請求項１〜７のいずれか一項に記載のバランス。
【請求項９】
請求項１〜８のいずれか一項に記載のバランス（１）を少なくとも１つ備える
ことを特徴とする計時器用ムーブメント。
【請求項１０】
請求項９に記載のムーブメントを少なくとも１つ備え、
携行型時計である
ことを特徴とする計時器。
【請求項１１】
請求項１〜８のいずれか一項に記載のバランス（１）に慣性ブロック（６）を取り付ける方法であって、
（ａ）前記バランス（１）を支持体上に配置して適切な位置に保持するステップと、
（ｂ）前記慣性ブロック（６）を前記ハウジング（１０）に配置して、前記慣性ブロック（６）の足部（６５）が前記ハウジング内に載置されるようにし、前記足部（６５）が前記収容スロット（７）と整列するように配置されるようにするステップと、及び
（ｃ）前記足部（６５）が前記弾性アーム（５）を広げながら前記収容スロット（７）の方へと直進する方向へと前記慣性ブロック（６）を変位させて前記ノッチ（１１）内に前記足部（６５）を収容するステップと
を備えることを特徴とする方法。
【発明の詳細な説明】
【技術分野】
【０００１】
本発明は、バランスの回転軸を形成するハブによって構成している剛性部品、輪縁及び輪縁をハブに接続する少なくとも１つのアームを有し、慣性ブロックのロッドの位置で受け取り及び把持するための少なくとも１つの保持機構を有し、音響運動のためのバランスに関する。
【０００２】
本発明は、計時器用発振器の分野に関し、より詳細には、慣性の設定及び／又はバランス化のための手段を備えるバランスの分野に関する。
【背景技術】
【０００３】
慣性の設定及び／又はバランス化を行う手段を備えるバランスの多くの形態が知られている。具体的には、バランスの輪縁の埋め込み体にねじ込まれたり入れ込まれたりする慣性ブロックを備えるバランスが知られている。いくつかの形態は、把持によって慣性ブロックを保持することを試みている。慣性ブロックのロッドを受けて適切な位置に把持する少なくとも１つの収容スロットが形成されたバランスを開示しているスイス特許文献ＣＨ７０５２３８が知られている。この収容スロットの境界は、一方ではバランスの剛体部分と呼ばれる部分によって、他方では前記バランスの前記剛体部分のほうに恒久的に戻される弾性アームによって、定められる。この剛体部分は、慣性ブロックを保持するように前記収容スロットの境界を定める。
【０００４】
慣性ブロックを挿入するときに、弾性アームは広がって著しい塑性変形をする。このような塑性変形は、ひび割れのような材料の欠陥を発生させることがある。このことによって、バランスの信頼性に影響を与えたり、悪化させたりし、慣性ブロックは、弾性アームによって正しく保持されなくなり、脱離するおそれもある。
【発明の概要】
【発明が解決しようとする課題】
【０００５】
本発明は、特に、これらの既知の技術の様々な課題を解決することを目的とする。
【０００６】
具体的には、本発明は、弾性限界を超えない応力レベル内に収まることができ、したがって、欠陥のリスクを最小にすることができる弾性アームを備える慣性ブロックを良好に保持することが可能になるバランスを提供することを目的とする。
【０００７】
本発明は、十分に剛性が高い幾何学的形状を有し、十分な力で押すことができ、これによって、携行型時計（例、腕時計、懐中時計）が受ける衝撃のタイプにかかわらず慣性ブロックを適切な位置に保持することができるような、弾性アームを備えるバランスを提供することを別の目的とする。
【課題を解決するための手段】
【０００８】
これらの目的や以下において明確になる他の目的は、請求項１に記載の計時器用ムーブメントのためのバランスを用いて本発明にしたがって達成される。
【０００９】
本発明の他の好ましい実施形態は、以下の特徴を有する。
−  前記弾性アームは、前記慣性ブロックのロッドを配置するために当該バランスの前記剛体部分に対して前記弾性アームが実質的に垂直方向に上昇しているときに、前記ハウジングの奥部において０．３％の塑性変形しきい値よりも下を維持するような形を有する。
−  前記ハウジングは、前記収容スロットによって定められる入口と、及び奥部とがある実質的に卵形の形状であり、前記ハウジングの前記奥部は、前記ハウジングの前記入口よりも大きい寸法構成を有する。
−  前記弾性アームは、前記慣性ブロックが取り付けられているときに少なくとも０．７Ｎの保持力を与える。
−  前記剛体部分には、前記慣性ブロックをポジショニングするためのノッチがあり、前記開口の幅は、前記慣性ブロックの前記ロッドの直径よりも小さい。
−  前記弾性アームは、前記輪縁と一体化されている。
−  前記弾性アームは、前記ハブと一体化されている。
−  少なくとも１つの弾性アームは、前記バランスと一体化されるように形成される。
−  前記バランスは、複数の弾性アームを備え、前記弾性アームは、当該バランスの中心を中心として点対称に配置される。
【００１０】
本発明は、さらに、本発明に係るバランスばね発振器システムを備える計時器用ムーブメントに関する。
【００１１】
本発明は、さらに、本発明に係る計時器用ムーブメントを備える計時器に関する。
【００１２】
本発明は、さらに、本発明に係るバランスに慣性ブロックを取り付ける方法に関する。
【００１３】
このようにして、本発明に係る物は、上述した様々な機能的及び構造的な特徴によって、特に、より良好な応力分布のおかげで、堅牢性が高いバランスを得ることを可能にする。また、前記弾性アームは、応力を受ける材料の体積を大きくし弾性エネルギーを多く蓄積することを可能にするような特定の形状のおかげで、慣性ブロックを良好に保持することを可能にする。
【００１４】
単純な説明用の例（これに限定されない）として与えられる本発明の特定の実施形態についての以下の説明と図面を読むことによって、本発明の他の特徴及び利点を明確に理解することができるであろう。
【図面の簡単な説明】
【００１５】
【図１】本発明の第１の実施形態に係るバランスを上から見た図である。
【図２】図２ａは、本発明の第１の実施形態に係るバランスを上から見た図である。図２ｂは、本発明の第１の実施形態に係るバランスを下方から見た図である。
【図３】本発明の第１の実施形態に係るバランスをクランプするための弾性機構の詳細図である。
【発明を実施するための形態】
【００１６】
次に、図１ａ、２ａ、２ｂ及び３をともに参照しながら、例示的な１つの実施形態に係るバランスについて説明する。
【００１７】
本発明は、計時器用ムーブメントのためのバランス１に関する。このバランス１は、ハブ２によって構成している剛体部分を備え、このハブ２の中心は、バランス１と、輪縁３と、及びこの輪縁３をハブ２に接続する少なくとも１つのアーム４の回転軸Ａを形成する。
【００１８】
当業者の必要性に応じて、バランスは、銅、又はニッケル銀のような銅合金によって形成される。また、バランスは、アルミニウム、アルミニウム合金、チタン又はチタン合金、金又は金合金、白金又は白金合金で作ることもできる。
【００１９】
また、バランス１は、少なくとも１つの弾性アーム５を備え、この弾性アーム５には、このバランス１の剛体部分と一体化された第１の端部５Ｂと、ハブ２、アーム４及び前記輪縁３の区画と比べて自由である第２の遠位端５Ａがあり、この自由端５Ａは、輪縁３の平面内にて変形し輪縁の平面内において変形することができ、バランスに慣性ブロック６をクランプすることができる。また、バランス１には、慣性ブロック６を受けるように構成している収容スロット７があり、この収容スロット７の境界は、一方では弾性アームの自由端５Ａによって、他方では輪縁とハブと一体化された剛体の壁８によって、定められている。収容スロット７には開口９があり、この開口９によって、弾性アームの端部５Ａを、剛体の壁８に対して垂直方向に変位させ、また、慣性ブロック６と接触させてこの慣性ブロックが収容スロット内に配置されたときに前記剛体の壁の方へとクランプすることが可能になる。
【００２０】
好ましいことに、収容スロット７は、ハウジング１０内へと通じており、収容スロット７には、慣性ブロック６を正確にポジショニングし慣性ブロック６を適切な位置に保持するためのノッチ１１がある。開口９の幅は、慣性ブロック又は慣性ブロックのロッドの直径よりも小さくされており、これによって、慣性ブロックを適切な位置に保持する。
【００２１】
慣性ブロック６には、工具と連係するように構成しているセッティング用輪郭６３を有する頭部６１がある。慣性ブロック６は、この頭部６１から延びるロッド６２を備えることができ、頭部６１の直径はロッド７の直径よりも大きい。
【００２２】
図示している実施形態において、慣性ブロック６には足部６５があり、ロッド６２は頭部６１につながっており、頭部６１と足部６５は両方ともロッド６２の直径よりも大きい直径を有し、これによって、回転軸Ｄと平行な方向における弾性アーム５における慣性ブロック６の移動距離を制限し、あるいはさらに、この方向において固定する。
【００２３】
ロッド６２は、慣性ブロック６の中心を通り抜ける軸に沿って延び、クランプ機構５に把持されると、慣性ブロック６は、セッティング用輪郭６３に作用する工具を用いてこの軸のまわりに角度的に向きを調整することができる。慣性ブロック６には、この軸のまわりに非平衡があり、この非平衡は、例えば、図２ａに示しているように、頭部６１に形成される平坦な部分６４によって発生する。
【００２４】
慣性ブロック６が開口９のノッチ１１内に配置されると、弾性アーム５の自由端５Ａは、剛体の壁８に対するハブと輪縁への剛体のアームのアタッチメントを接続するスポークの主要な方向に対して、実質的に垂直に変位する。
【００２５】
本発明によれば、弾性アーム５は、壁５Ｂによって境界が定められたハウジング１０を形成し、弾性アームの本体５Ｃは、バランスに慣性ブロック６を組み付けるときに弾性変形するように構成しており、弾性アーム５の自由端５Ａは、輪縁の平面内において剛体の壁８に対して実質的に垂直に変位することができる。この場合においては、弾性アームの本体５Ｃは、曲がったときに応力を受ける断面が一定ではない埋め込みビームであると考えることができ、したがって、本体５Ｃは塑性変形を非常にわずかしかせず、壁５Ｂの下部は塑性変形をほとんどしない。
【００２６】
本発明の発明者らが実施した試験によれば、従来技術で用いられる手法が２％の塑性変形を発生させるのに対して、弾性アーム５は０．３％の塑性変形しか発生させない。したがって、本発明が用いる手法によって、慣性ブロック６を配置するときに弾性アーム５が受ける応力を低減させることが可能になる。
【００２７】
弾性アーム５の寸法構成と形状は、慣性ブロックの最小の所望の保持力を得るように決められ、弾性アームによって得られる保持力は、少なくとも０．７Ｎである。
【００２８】
好ましいことに、弾性アームの本体の断面は位置によって変わる。この断面は、応力を受ける材料の部分の断面が大きく、そこに最大の可能な弾性エネルギーを蓄積するように変わる。図３に示しているように、本体５Ｃの断面は一定ではなく、本体の一部の幅は、本体の残りと比べて局所的に大きくなっている。このような構成によって、応力を受ける箇所の材料を多くして、多くのエネルギーを蓄積することが可能になり、したがって、慣性ブロック６に対する良好な保持力を維持させることができる。例えば、本体５Ｃの幅は、その自由端からハブにおけるその接続箇所まで移るにしたがって大きくなるようにすることができる。
【００２９】
同様に、変形可能な部分５Ｃの長さと幅は、塑性変形を避けるように、特定の応力レベルよりも下に保持するように決める。弾性アーム５の寸法構成によって、アームの変形に起因する大きな弾性エネルギーを蓄積することができ、この変形エネルギーは、弾性アーム５によってクランプされる慣性ブロックのロッドに対する保持力の形態で維持され、このことによって、慣性ブロックをノッチ１１内において力とトルクによって確実に保持する。
【００３０】
なお、弾性アーム５によって形成されるハウジング１０は、曲がりの奥部において比較的大きな半径を有し、この特定の形状は、慣性ブロック６の組み付け時の応力分布を良好にするように決められる。この応力は、従来技術と比べてはるかに大きな表面積にわたって分布しており、このことによって、曲がりの奥部における構造の脆化を避けることができる。実際に、従来技術においては保持機構の曲がりの奥部における半径が非常に小さく、このことは、応力が非常に局所的に分布して、この箇所に微小亀裂が形成され、したがって、時間が経過するにしたがって保持力が徐々に小さくなることを意味している。
【００３１】
図示しているように、ハウジング１０は、収容スロット７によって形成される入口と、奥部とがある実質的に卵形の形状であり、このハウジング１０の奥部は、ハウジングの入口よりも大きい寸法構成を有する。
【００３２】
本発明によって、弾性アーム５の特定の幾何学的形状によって、アームを変位させて慣性ブロック６を配置するときに、満足するような慣性ブロックの保持力を得て、また、脆化領域が形成されることを排除することが可能になる。応力を受ける材料の量は、満足するような保持力を慣性ブロックに与えるために決定的に重要であると思われる（クラペイロンの式によれば、材料本体に蓄積される弾性エネルギーは、与えられる力すべての仕事量と等しい）。
【００３３】
【数１】
2020183937.tif 000003
【００３４】
したがって、理想的な手法は、弾性アームがより大きな保持力を維持するように、応力を受ける材料の量を可能なかぎり増加させることである。しかし、このような選択肢は、弾性アームのかさばり量が大きくなることを意味しており、このことによって、バランスの慣性がかなり変わり、バランスの取り付け、特に、スタッドへのピン止め、を複雑にする。
【００３５】
第１の好ましい実施形態において、図１、２ａ、２ｂ及び３に示しているように、前記少なくとも１つの弾性アーム５の本体５Ｃは、ハブ２と一体化されている。この第１の実施形態は好ましい。なぜなら、慣性ブロック６を収容スロット７内においてノッチ１１の方へと横方向に変位させる前に慣性ブロック６をハウジング１０内に予め配置することができ、したがって、アームを機械的に広げて慣性ブロック６をアーム内に配置する必要がなくなり、これによって、ロッドを摺動させるのに十分な最小限の広がりだけで弾性アーム５に与えられる応力を減少させることができるからである。
【００３６】
本発明は、さらに、上述したように慣性ブロックをバランスに取り付ける方法に関する。この本発明に係る組み付け方法は、
（ａ）バランス１を支持体上に配置して、バランス１を適切な位置に保持するステップと、
（ｂ）慣性ブロック６をハウジング１０に配置して、足部６５がハウジング内に載置されるようにし、足部６５が収容スロット７と整列するように配置されるようにするステップと、及び
（ｃ）ノッチ１１内に足部６５を収容するように収容スロット７の方へと直進する方向へと慣性ブロック６を変位させるステップと
を備える。
【００３７】
この方法は、ステップ（ｃ）の後に、慣性ブロック６の頭部がアーム５の上面及び剛体の壁８の上面と接触するように慣性ブロック６を正確にポジショニングするステップを随意的に備えることができる。
【００３８】
本発明は、さらに、複数の保持機構５を備え、各保持機構５が少なくとも１つの慣性ブロック６を受けるように構成しているようなバランス１に関する。
【００３９】
本発明は、さらに、上述したような少なくとも１つのこのようなバランス１を備える計時器用ムーブメントに関する。
【００４０】
本発明は、さらに、少なくとも１つのこのようなムーブメントを備え、好ましくは、携行型時計である、計時器に関する。
【符号の説明】
【００４１】
１  バランス
２  ハブ
３  輪縁
４  アーム
５  弾性アーム
６  慣性ブロック
７  収容スロット
８  剛体部分
１０  ハウジング
１１  ノッチ
６１  頭部
６２  ロッド
６３  セッティング用輪郭
６４  平坦な部分
６５  足部
【図１】
2020183937.tif 000004
【図２】
2020183937.tif 000005
【図３】
2020183937.tif 000006
【外国語明細書】
2020183937000001.pdf